【手続補正書】
【提出日】平成26年1月14日(2014.1.14)
【手続補正１】
【補正対象書類名】特許請求の範囲
【補正対象項目名】全文
【補正方法】変更
【補正の内容】
【特許請求の範囲】
【請求項１】
シート搬送路のシートを搬送する搬送部と、前記搬送部により搬送されるシートの斜行を補正する斜行補正部と、を備えるシート搬送装置において、
前記斜行補正部は、
シートの先端に当接し得る当接面が形成されたシャッタ部材と、
シートの先端が前記当接面に当接し得る第１位置に位置するように前記シャッタ部材を付勢する付勢部材と、
前記第１位置、シートに押圧されて前記付勢部材の付勢力に抗してシート搬送路の下流側に前記当接面を移動してシート搬送路から前記当接面を退避する第２位置、搬送中のシートに当接し、かつシートの後端が通過した際に前記第１位置に移動するように待機して、前記当接面が、前記第２位置に前記シャッタ部材が位置する時よりもシート搬送方向における上流側に位置する第３位置、の順に前記当接面がシート搬送方向の上流側を向いた状態で移動するように前記シャッタ部材を支持する支持機構と、を備える、
ことを特徴とするシート搬送装置。
【請求項２】
前記シャッタ部材は、前記支持機構のスライド支持部によってスライド自在に支持され、且つ、回転中心を中心にして回転自在な回転体の、前記回転中心から偏心して配置された連結部にて、回動自在に支持される、
ことを特徴とする請求項１に記載のシート搬送装置。
【請求項３】
前記シャッタ部材は、前記当接面が形成された当接部と、前記当接部と一体形成されると共に直線状に形成され、かつ長穴部が形成された本体部と、を有し、
前記支持機構は、位置決め固定されると共に前記長穴部にスライド自在に係合する支軸と、回転中心から偏心して配置された連結部にて前記本体部に回動自在に連結された回転体と、を有する、
ことを特徴とする請求項１に記載のシート搬送装置。
【請求項４】
前記付勢部材は、一端が位置決め固定されると共に、前記回転体が固着された回転軸の端部に固着された連結用回転体の回転中心から偏心して配置された連結支持部に、他端が連結され、
前記当接面が前記回転体の一方向回転により近似楕円運動する、
ことを特徴とする請求項２又は３に記載のシート搬送装置。
【請求項５】
前記シャッタ部材は、前記当接面が形成された当接部と、前記当接部と一体形成され、かつ第１被連結部及び第２被連結部が形成された本体部と、を有し、
前記支持機構は、回転中心から偏心して配置された第１連結部にて前記本体部の前記第１被連結部に接続された回転自在の第１回転体と、回転中心から偏心して配置された第２連結部にて前記本体部の前記第２被連結部に接続された回転自在の第２回転体と、前記第１回転体と前記第２回転体を同方向に同回転するように連動させる連動部材と、を有する、
ことを特徴とする請求項１に記載のシート搬送装置。
【請求項６】
前記付勢部材は、一端が位置決め固定されると共に、前記第１回転体が固着された回転軸の端部に固着された連結用回転体の回転中心から偏心して配置された連結支持部に、他端が連結され、
前記当接面が前記第１回転体の一方向回転により円運動する、
ことを特徴とする請求項５に記載のシート搬送装置。
【請求項７】
前記当接面にシートの先端が当接した状態で前記シャッタ部材がシートに押圧されて、前記シャッタ部材が移動している途中で該シートをニップするローラ対を備える、
ことを特徴とする請求項１から６のいずれか１項に記載のシート搬送装置。
【請求項８】
シート搬送路のシートを搬送する搬送部と、
シートの先端に当接し得る当接面が形成されたシャッタ部材と、
前記当接面にシートの先端が当接した状態で前記シャッタ部材がシートに押圧されて、前記シャッタ部材が移動している途中で該シートをニップするローラ対と、
シートの先端が前記当接面に当接し得る第１位置に位置するように前記シャッタ部材を付勢する付勢部材と、
前記シャッタ部材がクランク運動するように前記シャッタ部材を支持する支持機構と、を備えた、
ことを特徴とするシート搬送装置。
【請求項９】
前記支持機構は、回転中心を中心として回転し、前記回転中心から偏心して形成された連結部にて回転自在に前記シャッタ部材を支持する回転体を有する、
ことを特徴とする請求項８に記載のシート搬送装置。
【請求項１０】
前記支持機構は、前記シャッタ部材をスライド自在に支持するスライド支持部を有する、
ことを特徴とする請求項９に記載のシート搬送装置。
【請求項１１】
前記シャッタ部材は、前記当接面が形成された当接部と、前記当接部と一体形成されると共に直線状に形成され、かつ長穴部が形成された本体部と、を有し、
前記支持機構は、前記長穴部にスライド自在に係合する支軸を有する、
ことを特徴とする請求項９に記載のシート搬送装置。
【請求項１２】
前記回転体は、上死点と下死点を有するカムであり、
前記付勢部材は、前記カムと接触して揺動自在に形成されたカムフォロアと、前記カムフォロアを前記カムへ付勢する付勢バネと、を有し、
前記カムは、前記第１位置に前記シャッタ部材が位置したときに前記下死点で前記カムフォロアと接触し、かつシートに押圧されて前記付勢バネの付勢力に抗して前記シート搬送路の下流側に前記当接面を移動して、前記シート搬送路から前記当接面を退避する第２位置に前記シャッタ部材が位置したときに、前記上死点で前記カムフォロアと接触する、
ことを特徴とする請求項９に記載のシート搬送装置。
【請求項１３】
前記付勢部材は、一端が位置決め固定されると共に、他端が前記回転体に連結される、
ことを特徴とする請求項９から１２のいずれか１項に記載のシート搬送装置。
【請求項１４】
前記シャッタ部材は、前記当接面が形成された当接部と、前記当接部と一体形成され、かつ第１被連結部及び第２被連結部が形成された本体部と、を有し、
前記支持機構は、回転中心から偏心して形成された第１連結部にて前記本体部の前記第１被連結部に回転自在に連結された第１回転体と、回転中心から偏心して形成された第２連結部にて前記本体部の前記第２被連結部に回転自在に連結された第２回転体と、前記第１回転体と前記第２回転体を同位相で同方向に回転するように連動させる連動部材と、を有する、
ことを特徴とする請求項８に記載のシート搬送装置。
【請求項１５】
請求項１から１４のいずれか１項に記載のシート搬送装置と、
前記シート搬送装置から送り出されたシートに画像を形成する画像形成部と、を備える、
ことを特徴とする画像形成装置。
【手続補正２】
【補正対象書類名】明細書
【補正対象項目名】０００６
【補正方法】変更
【補正の内容】
【０００６】
ここで、図２７及び図２８に従来のシート搬送装置に設けられるシャッタ部材５２３を示す。図２７及び図２８に示すように、従来のシャッタ部材５２３は、搬送ローラ対５１８，５１９の一方側の回転軸５１８ａに回転自在に支持されている。そして、シャッタ部材５２３は、シートＳを誘導して搬送ローラ対５１８，５１９のニップ部を通過させた後、搬送ローラ対５１８，５１９のニップ部を通過するように回転してシャッタ部材５２３を当接位置に戻す。そのため、最低限必要な紙間距離は、先行するシートＳの後端がシャッタ部材５２３の当接面を通過した位置からシートＳの斜行補正を行うホーム位置までの距離Ｄ１と、その間に次のシートＳをホーム位置まで搬送する距離Ｄ２を足した距離となる。
【手続補正３】
【補正対象書類名】明細書
【補正対象項目名】０００９
【補正方法】変更
【補正の内容】
【０００９】
本発明は、シート搬送路のシートを搬送する搬送部と、前記搬送部により搬送されるシートの斜行を補正する斜行補正部と、を備えるシート搬送装置において、前記斜行補正部は、シートの先端に当接し得る当接面が形成されたシャッタ部材と、シートの先端が前記当接面に当接し得る第１位置に位置するように前記シャッタ部材を付勢する付勢部材と、前記第１位置、シートに押圧されて前記付勢部材の付勢力に抗してシート搬送路の下流側に前記当接面を移動してシート搬送路から前記当接面を退避する第２位置、搬送中のシートに当接し、かつシートの後端が通過した際に前記第１位置に移動するように待機して、前記当接面が、前記第２位置に前記シャッタ部材が位置する時よりもシート搬送方向における上流側に位置する第３位置、の順に前記当接面がシート搬送方向の上流側を向いた状態で移動するように前記シャッタ部材を支持する支持機構と、を備える、ことを特徴とするシート搬送装置に関する。
【手続補正４】
【補正対象書類名】明細書
【補正対象項目名】００３８
【補正方法】変更
【補正の内容】
【００３８】
シャッタバネ２７は、一端がシャッタ駆動部材２６の連結支持部２６ａに連結され、他端が給紙フレーム２０に位置決め固定されており、シャッタ駆動部材２６と給紙フレーム２０とを繋いでいる。また、シャッタバネ２７は、当接面２３ｄが第１位置に位置するように、シャッタ駆動部材２６、シャッタ軸２２及び回転体対２４，２５を介してシャッタ部材２３を付勢する。例えば、シャッタバネ２７は、シートＳの先端に押されて回転したシャッタ部材２３をシャッタ駆動部材２６を介してｚ２方向（後述の図８（ａ）参照）に付勢することで当接部２３ａを第１位置に位置させる。言い換えると、図４（ａ）に示すように、シャッタバネ２７は、シャッタ駆動部材２６の連結支持部２６ａの下死点（釣り合った状態）で当接面２３ｄが第１位置に位置するようにシャッタ部材２３を付勢する。
【手続補正５】
【補正対象書類名】明細書
【補正対象項目名】００５０
【補正方法】変更
【補正の内容】
【００５０】
このように、図４（ａ）から図１１（ｂ）で示した状態を繰り返すことで、シャッタ部材２３は、図１２に示す回転軌跡Ｔを描きながら、当接面２３ｄがシート搬送方向の上流側を向いた状態で第１位置、第２位置、第３位置とを循環移動する。言い換えると、当接面２３ｄが回転体対２４，２５及びシャッタ駆動部材２６の一方向回転により、近似楕円運動（クランク運動）する。
【手続補正６】
【補正対象書類名】明細書
【補正対象項目名】００７６
【補正方法】変更
【補正の内容】
【００７６】
連動ギア３３２は、第１ギア３２４と第２ギア３３３との間に配置されており、第１ギア３２４及び第２ギア３３３に噛合して第２ギア３３３を第１ギア３２４と同方向に従動回転させる。第１ギア３２４及び第２ギア３３３は、連動ギア３３２により同一周期で同方向に回転する。